(57)【要約】【課題】耐久性に優れ、高い品質の押出成形品が得られる金属材料の押出成形用ダイスを提供する。【解決手段】本発明のダイスは、受圧部２１を有するオス型ダイスケース２０と、メス型ダイスケース２５と、オス型ダイスケース内に設けられるオス型ダイス３０と、メス型ダイスケース２５内に設けられるメス型ダイス４０とを備える。受圧部２１が後方に向けて突出する凸面形状に形成され、受圧部外周に、金属材料導入用のポート孔が設けられる。オス型ダイスケース２０の前面側に圧入連結部２１ａが設けられるとともに、メス型ダイスケースの後面側に圧入用凹部２５ａが設けられる。圧入連結部２１ａが圧入用凹部２５ａに圧入されることにより、オス型ダイスケース２０がメス型ダイスケース２５により周囲から拘束された状態で両ケース２０，２５が連結される。【選択図】図３
2008030117.tif 000002
【特許請求の範囲】
【請求項１】
外表面を金属材料受圧面とする受圧部を有し、その受圧部を金属材料の押出方向に対向させるように後方に向けて配置されるオス型ダイスケースと、
オス型ダイスケースの前側に設けられるメス型ダイスケースと、
オス型ダイスケース内に設けられるオス型ダイスと、
メス型ダイスケース内に設けられ、かつオス型ダイスとにより押出孔を形成するメス型ダイスと、を備え、
受圧部における金属材料受圧面が後方に向けて突出する凸面形状であるとともに、受圧部の外周に、金属材料導入用のポート孔が設けられ、
オス型ダイスケースの前面側外周に圧入連結部が設けられるとともに、メス型ダイスケースの後面側外周に圧入用凹部が設けられ、
圧入連結部が圧入用凹部に圧入されることにより、オス型ダイスケースがメス型ダイスケースにより周囲から拘束された状態で両ダイスケースが連結されることを特徴とする金属材料の押出成形用ダイス。
【請求項２】
ポート孔の軸心が下流側に向かうに従ってオス型ダイスケースの軸心に近づくように、オス型ダイスケースの軸心に対し傾斜するように配置されることを特徴とする請求項１に記載の金属材料の押出成形用ダイス。
【請求項３】
圧入連結部の圧入用凹部に対する径方向の圧縮率（圧入代）が、１〜８％に設定される請求項１または２に記載の金属材料の押出成形用ダイス。
【請求項４】
オス型ダイスケースとオス型ダイスとが別体に設けられ、オス型ダイスがオス型ダイスケースに保持される請求項１〜３のいずれか１項に記載の金属材料の押出成形用ダイス。
【請求項５】
オス型ダイスケースにオス型ダイスが一体に形成される請求項１〜３のいずれか１項に記載の金属材料の押出成形用ダイス。
【請求項６】
メス型ダイスケースにメス型ダイスが一体に形成される請求項１〜５のいずれか１項に記載の金属材料の押出成形用ダイス。
【請求項７】
メス型ダイスケースに、金属材料の流動を制御するための流動制御板が一体に形成される請求項１〜６のいずれか１項に記載の金属材料の押出成形用ダイス。
【請求項８】
受圧部が半球体形状に形成されることを特徴とする請求項１〜７のいずれか１項に記載の金属材料の押出成形用ダイス。
【請求項９】
金属材料受圧面が、１／６〜４／６球体の凸球面によって構成されたことを特徴とする請求項１〜７のいずれか１項に記載の金属材料の押出成形用ダイス。
【請求項１０】
受圧部が、その受圧面に多数の面が配置された多面体形状に形成されることを特徴とする請求項１〜７のいずれか１項に記載の金属材料の押出成形用ダイス。
【請求項１１】
受圧部が、その軸心方向から見た状態で楕円形ないし長円形に形成されることを特徴とする請求項１〜７のいずれか１項に記載の金属材料の押出成形用ダイス。
【請求項１２】
受圧部が、軸心方向に沿う突出寸法が、軸心方向に直交する径方向に沿う半径寸法よりも長く設定されて、径方向から見た状態で半楕円形ないし半長円形に形成されることを特徴とする請求項１〜７のいずれか１項に記載の金属材料の押出成形用ダイス。
【請求項１３】
ポート孔は、オス型ダイスケースの軸心回りに周方向に等間隔おきに複数形成されたことを特徴とする請求項１〜１２のいずれか１項に記載の金属材料の押出成形用ダイス。
【請求項１４】
ポート孔の軸心が、オス型ダイスケースの軸心に対し３〜３５°の傾斜角度に設定されたことを特徴とする請求項２に記載の金属材料の押出成形用ダイス。
【請求項１５】
金属材料が、アルミニウムまたはその合金によって構成されたことを特徴とする請求項１〜１４のいずれか１項に記載の金属材料の押出成形用ダイス。
【請求項１６】
オス型ダイスと、メス型ダイスとによって、環状の押出孔が形成され、
金属材料が押出孔を通過することによって、断面環状のチューブ材が押出成形されるよう構成されたことを特徴とする請求項１〜１５のいずれか１項に記載の金属材料の押出成形用ダイス。
【請求項１７】
オス型ダイスと、メス型ダイスとによって、高さ（厚さ）が幅に対し小さい偏平な環状の押出孔が形成されるとともに、
オス型ダイスの押出孔に対応する部分が、幅方向に併設された複数の通路成形用凸部を有する櫛歯状に形成されて、
金属材料が押出孔を通過することによって、複数の通路が幅方向に併設された多孔中空材が押出成形されるよう構成されたことを特徴とする請求項１〜１５のいずれか１項に記載の金属材料の押出成形用ダイス。
【請求項１８】
請求項１〜１５のいずれかに記載された押出成形用ダイスを用いて押出成形品を成形する押出成形品の製造方法。
【請求項１９】
請求項１６に記載された押出成形用ダイスを用いて押出チューブ材を成形する押出チューブ材の製造方法。
【請求項２０】
請求項１７に記載された押出成形用ダイスを用いて多孔中空材を成形する多孔中空材の製造方法。
【請求項２１】
外表面を金属材料受圧面とする受圧部を有し、その受圧部を金属材料の押出方向に対向させるように後方に向けて配置され、かつ内部にオス型ダイスが設けられるオス型ダイスケースと、
オス型ダイスケースの前側に設けられ、かつ内部にメス型ダイスが設けられるメス型ダイスケースと、を備え、
受圧部における金属材料受圧面が後方に向けて突出する凸面形状であるとともに、受圧部の外周に、金属材料導入用のポート孔が設けられ、
オス型ダイスケースの前面側外周に圧入連結部が設けられるとともに、メス型ダイスケースの後面側外周に圧入用凹部が設けられ、
圧入連結部が圧入用凹部に圧入されることにより、オス型ダイスケースがメス型ダイスケースにより周囲から拘束された状態で両ダイスケースが連結されることを特徴とする押出成形用ダイスのダイスケース。
【請求項２２】
金属材料受圧面が、１／６〜４／６球体の凸球面によって構成されたことを特徴とする請求項２１に記載の押出成形用ダイスのダイスケース。
【請求項２３】
金属材料の押出成形方法であって、
外表面を金属材料受圧面とする受圧部を有し、その受圧部を金属材料の押出方向に対向させるように後方に向けて配置されるオス型ダイスケースと、
オス型ダイスケースの前側に設けられるメス型ダイスケースと、
オス型ダイスケース内に設けられるオス型ダイスと、
メス型ダイスケース内に設けられ、かつオス型ダイスとにより押出孔を形成するメス型ダイスと、を準備しさらに、
受圧部における金属材料受圧面が後方に向けて突出する凸面形状であるとともに、受圧部の外周に、金属材料導入用のポート孔を設け、
オス型ダイスケースの前面側外周に圧入連結部を設けるとともに、メス型ダイスケースの後面側外周に圧入用凹部を設け、
圧入連結部を圧入用凹部に圧入することにより、オス型ダイスケースをメス型ダイスケースにより周囲から拘束した状態で両ダイスケースを連結し、
その連結状態で、金属材料受圧面に押圧させた金属材料を、ポート孔に通して両ダイスケース内に導いて、押出孔に通過させることを特徴とする金属材料の押出成形方法。
【請求項２４】
コンテナと、そのコンテナにセットされる押出成形用ダイスと、を備え、コンテナ内の金属材料を押出成形用ダイスに供給するようにした金属材料の押出成形機であって、
押出成形用ダイスは、
外表面を金属材料受圧面とする受圧部を有し、その受圧部を金属材料の押出方向に対向させるように後方に向けて配置されるオス型ダイスケースと、
オス型ダイスケースの前側に設けられるメス型ダイスケースと、
オス型ダイスケース内に設けられるオス型ダイスと、
メス型ダイスケース内に設けられ、かつオス型ダイスとにより押出孔を形成するメス型ダイスと、を備え、
受圧部における金属材料受圧面が後方に向けて突出する凸面形状であるとともに、受圧部の外周に、金属材料導入用のポート孔が設けられ、
オス型ダイスケースの前面側外周に圧入連結部が設けられるとともに、メス型ダイスケースの後面側外周に圧入用凹部が設けられ、
圧入連結部が圧入用凹部に圧入されることにより、オス型ダイスケースがメス型ダイスケースにより周囲から拘束された状態で両ダイスケースが連結される一方、
金属材料受圧面に押圧された金属材料が、ポート孔を通って両ダイスケース内に導かれて、押出孔を通過するよう構成されたことを特徴とする金属材料の押出成形機。
【発明の詳細な説明】
【技術分野】
【０００１】
この発明は、金属材料の押出加工に用いられる金属材料の押出成形用ダイスおよびその関連技術に関する。
【背景技術】
【０００２】
カーエアコン用熱交換器におけるアルミニウム製熱交換チューブなどの金属製中空押出品を製造する際に用いられる押出成形用ダイスは、図１８（ａ）に示すポートホールダイス、同図（ｂ）に示すスパイダダイス、同図（ｃ）に示すブリッジダイスと称されるものがある。
【０００３】
これらの押出成形用ダイスは、オス型ダイス（１）とメス型ダイス（２）とが組み合わされて構成され、オス型ダイス（１）のマンドレル（１ａ）が、メス型ダイス（２）のダイス孔（２ａ）に対応して配置されて、マンドレル（１ａ）およびダイス孔（２ａ）によって環状の押出孔が形成される。そしてオス型ダイス（１）のビレット受圧面（金属材料受圧面１ｂ）に押圧された金属ビレット（金属材料）が、材料導入部（１ｃ）を通って両ダイス（１）（２）内に流入されて、上記押出孔を塑性変形しつつ通過することによって、押出孔の形状に対応した断面形状の押出材が成形加工されるよう構成されている。
【０００４】
このような押出成形用ダイスにおいては、オス型ダイス（１）のビレット受圧面（１ｂ）に、金属ビレットの押圧による多大な応力が加わるため、その応力によって、受圧部周辺に亀裂が発生し易く、十分なダイス寿命を得ることが困難になるおそれがある。
【０００５】
そこで従来においては、下記特許文献１，２に示す金属材料の押出成形用ダイスが提案されている。このダイスは、オス型ダイスのビレット受圧面がビレットの押出方向に対し反対側（後側）に突出する凸面形状に形成されており、このビレット受圧面に加わる金属ビレットの押圧力をオス型ダイスのブリッジ部によって受け止めるように構成されている。
【特許文献１】実開昭５３−１０２９３８号（請求の範囲、第３−５図）
【特許文献２】特公平６−８１６４４号（請求の範囲、図面）
【発明の開示】
【発明が解決しようとする課題】
【０００６】
上記特許文献１，２に示す従来の押出成形用ダイスは、ビレット受圧面を凸面形状に形成しているため、金属ビレットに対する耐圧性など、オス型ダイスの強度をある程度向上させることができるものの、依然としてブリッジ部に強度的に不安を抱えている。このためブリッジ部の強度を十分に確保するには、オス型ダイスにおけるブリッジ部の肉厚などのサイズを大きくせざるを得ず、大型化および高重量化を来すばかりか、コストの増大も招くという問題が発生する。
【０００７】
また押出成形用ダイスにおいて、特に複雑な形状に押出加工するような場合には、金属材料をオス型ダイスの材料導入部から押出孔にかけて安定状態にスムーズに導入する必要があるが、上記従来の押出成形用ダイスにおいては、オス型ダイスの材料導入部からオス型ダイスおよびメス型ダイス間に流入される金属材料がオス型ダイスのブリッジ部によって乱されて、金属材料のスムーズな導入が妨げられ、押出成形品の寸法精度が低下して、高い品質を得ることが困難になるおそれがあった。
【０００８】
この発明の主たる目的は、上記従来技術の問題を解消し、十分な強度および耐久性を確保しつつ、コストの削減および小型軽量化を図ることができるとともに、高い品質の押出成形品を得ることができる金属材料の押出成形用ダイスを提供することである。
【０００９】
この発明の他の目的は、上記目的を達成可能な押出成形品の製造方法、押出チューブ材の製造方法、多孔中空材の製造方法、押出成形用ダイスのダイスケース、金属材料の押出成形方法および金属材料の押出成形機などの関連技術を提供することである。
【課題を解決するための手段】
【００１０】
上記目的を達成するため、本発明は以下の構成を要旨とするものである。
【００１１】
［１］  外表面を金属材料受圧面とする受圧部を有し、その受圧部を金属材料の押出方向に対向させるように後方に向けて配置されるオス型ダイスケースと、
オス型ダイスケースの前側に設けられるメス型ダイスケースと、
オス型ダイスケース内に設けられるオス型ダイスと、
メス型ダイスケース内に設けられ、かつオス型ダイスとにより押出孔を形成するメス型ダイスと、を備え、
受圧部における金属材料受圧面が後方に向けて突出する凸面形状であるとともに、受圧部の外周に、金属材料導入用のポート孔が設けられ、
オス型ダイスケースの前面側外周に圧入連結部が設けられるとともに、メス型ダイスケースの後面側外周に圧入用凹部が設けられ、
圧入連結部が圧入用凹部に圧入されることにより、オス型ダイスケースがメス型ダイスケースにより周囲から拘束された状態で両ダイスケースが連結されることを特徴とする金属材料の押出成形用ダイス。
【００１２】
［２］  ポート孔の軸心が下流側に向かうに従ってオス型ダイスケースの軸心に近づくように、オス型ダイスケースの軸心に対し傾斜するように配置されることを特徴とする前項１に記載の金属材料の押出成形用ダイス。
【００１３】
［３］  圧入連結部の圧入用凹部に対する径方向の圧縮率（圧入代）が、１〜８％に設定される前項１または２に記載の金属材料の押出成形用ダイス。
【００１４】
［４］  オス型ダイスケースとオス型ダイスとが別体に設けられ、オス型ダイスがオス型ダイスケースに保持される前項１〜３のいずれか１項に記載の金属材料の押出成形用ダイス。
【００１５】
［５］  オス型ダイスケースにオス型ダイスが一体に形成される前項１〜３のいずれか１項に記載の金属材料の押出成形用ダイス。
【００１６】
［６］  メス型ダイスケースにメス型ダイスが一体に形成される前項１〜５のいずれか１項に記載の金属材料の押出成形用ダイス。
【００１７】
［７］  メス型ダイスケースに、金属材料の流動を制御するための流動制御板が一体に形成される前項１〜６のいずれか１項に記載の金属材料の押出成形用ダイス。
【００１８】
［８］  受圧部が半球体形状に形成されることを特徴とする前項１〜７のいずれか１項に記載の金属材料の押出成形用ダイス。
【００１９】
［９］  金属材料受圧面が、１／６〜４／６球体の凸球面によって構成されたことを特徴とする前項１〜７のいずれか１項に記載の金属材料の押出成形用ダイス。
【００２０】
［１０］  受圧部が、その受圧面に多数の面が配置された多面体形状に形成されることを特徴とする前項１〜７のいずれか１項に記載の金属材料の押出成形用ダイス。
【００２１】
［１１］  受圧部が、その軸心方向から見た状態で楕円形ないし長円形に形成されることを特徴とする前項１〜７のいずれか１項に記載の金属材料の押出成形用ダイス。
【００２２】
［１２］  受圧部が、軸心方向に沿う突出寸法が、軸心方向に直交する径方向に沿う半径寸法よりも長く設定されて、径方向から見た状態で半楕円形ないし半長円形に形成されることを特徴とする前項１〜７のいずれか１項に記載の金属材料の押出成形用ダイス。
【００２３】
［１３］  ポート孔は、オス型ダイスケースの軸心回りに周方向に等間隔おきに複数形成されたことを特徴とする前項１〜１２のいずれか１項に記載の金属材料の押出成形用ダイス。
【００２４】
［１４］  ポート孔の軸心が、オス型ダイスケースの軸心に対し３〜３５°の傾斜角度に設定されたことを特徴とする前項２に記載の金属材料の押出成形用ダイス。
【００２５】
［１５］  金属材料が、アルミニウムまたはその合金によって構成されたことを特徴とする前項１〜１４のいずれか１項に記載の金属材料の押出成形用ダイス。
【００２６】
［１６］  オス型ダイスと、メス型ダイスとによって、環状の押出孔が形成され、
金属材料が押出孔を通過することによって、断面環状のチューブ材が押出成形されるよう構成されたことを特徴とする前項１〜１５のいずれか１項に記載の金属材料の押出成形用ダイス。
【００２７】
［１７］  オス型ダイスと、メス型ダイスとによって、高さ（厚さ）が幅に対し小さい偏平な環状の押出孔が形成されるとともに、
オス型ダイスの押出孔に対応する部分が、幅方向に併設された複数の通路成形用凸部を有する櫛歯状に形成されて、
金属材料が押出孔を通過することによって、複数の通路が幅方向に併設された多孔中空材が押出成形されるよう構成されたことを特徴とする前項１〜１５のいずれか１項に記載の金属材料の押出成形用ダイス。
【００２８】
［１８］  前項１〜１５のいずれかに記載された押出成形用ダイスを用いて押出成形品を成形する押出成形品の製造方法。
【００２９】
［１９］  前項１６に記載された押出成形用ダイスを用いて押出チューブ材を成形する押出チューブ材の製造方法。
【００３０】
［２０］  前項１７に記載された押出成形用ダイスを用いて多孔中空材を成形する多孔中空材の製造方法。
【００３１】
［２１］  外表面を金属材料受圧面とする受圧部を有し、その受圧部を金属材料の押出方向に対向させるように後方に向けて配置され、かつ内部にオス型ダイスが設けられるオス型ダイスケースと、
オス型ダイスケースの前側に設けられ、かつ内部にメス型ダイスが設けられるメス型ダイスケースと、を備え、
受圧部における金属材料受圧面が後方に向けて突出する凸面形状であるとともに、受圧部の外周に、金属材料導入用のポート孔が設けられ、
オス型ダイスケースの前面側外周に圧入連結部が設けられるとともに、メス型ダイスケースの後面側外周に圧入用凹部が設けられ、
圧入連結部が圧入用凹部に圧入されることにより、オス型ダイスケースがメス型ダイスケースにより周囲から拘束された状態で両ダイスケースが連結されることを特徴とする押出成形用ダイスのダイスケース。
【００３２】
［２２］  金属材料受圧面が、１／６〜４／６球体の凸球面によって構成されたことを特徴とする前項２１に記載の押出成形用ダイスのダイスケース。
【００３３】
［２３］  金属材料の押出成形方法であって、
外表面を金属材料受圧面とする受圧部を有し、その受圧部を金属材料の押出方向に対向させるように後方に向けて配置されるオス型ダイスケースと、
オス型ダイスケースの前側に設けられるメス型ダイスケースと、
オス型ダイスケース内に設けられるオス型ダイスと、
メス型ダイスケース内に設けられ、かつオス型ダイスとにより押出孔を形成するメス型ダイスと、を準備しさらに、
受圧部における金属材料受圧面が後方に向けて突出する凸面形状であるとともに、受圧部の外周に、金属材料導入用のポート孔を設け、
オス型ダイスケースの前面側外周に圧入連結部を設けるとともに、メス型ダイスケースの後面側外周に圧入用凹部を設け、
圧入連結部を圧入用凹部に圧入することにより、オス型ダイスケースをメス型ダイスケースにより周囲から拘束した状態で両ダイスケースを連結し、
その連結状態で、金属材料受圧面に押圧させた金属材料を、ポート孔に通して両ダイスケース内に導いて、押出孔に通過させることを特徴とする金属材料の押出成形方法。
【００３４】
［２４］  コンテナと、そのコンテナにセットされる押出成形用ダイスと、を備え、コンテナ内の金属材料を押出成形用ダイスに供給するようにした金属材料の押出成形機であって、
押出成形用ダイスは、
外表面を金属材料受圧面とする受圧部を有し、その受圧部を金属材料の押出方向に対向させるように後方に向けて配置されるオス型ダイスケースと、
オス型ダイスケースの前側に設けられるメス型ダイスケースと、
オス型ダイスケース内に設けられるオス型ダイスと、
メス型ダイスケース内に設けられ、かつオス型ダイスとにより押出孔を形成するメス型ダイスと、を備え、
受圧部における金属材料受圧面が後方に向けて突出する凸面形状であるとともに、受圧部の外周に、金属材料導入用のポート孔が設けられ、
オス型ダイスケースの前面側外周に圧入連結部が設けられるとともに、メス型ダイスケースの後面側外周に圧入用凹部が設けられ、
圧入連結部が圧入用凹部に圧入されることにより、オス型ダイスケースがメス型ダイスケースにより周囲から拘束された状態で両ダイスケースが連結される一方、
金属材料受圧面に押圧された金属材料が、ポート孔を通って両ダイスケース内に導かれて、押出孔を通過するよう構成されたことを特徴とする金属材料の押出成形機。
【発明の効果】
【００３５】
発明［１］の金属材料の押出成形用ダイスによれば、金属材料受圧面を有するオス型ダイスケースを、メス型ダイスケースによって周囲から拘束した状態に連結するものであるため、オス型ダイスケースの強度、ひいてはダイス全体の強度を向上できて、耐久性を向上させることができる。さらに所定の強度を確保できるため、肉厚などのサイズを必要以上に大きく形成する必要がなく、その分、小型軽量化を図ることができるとともに、コストも削減することができる。
【００３６】
さらに、この押出成形用ダイスによれば、金属材料受圧面を凸面形状に形成しているため、金属材料が受圧面に押圧された際に、金属材料の押圧力を凸面によって分散させて受け止めることができて、受圧面の各部分での法線方向の押圧力を低減することができる。このため金属材料の押圧力に対する強度を向上できて、十分な耐久性を得ることができる。すなわち、金属材料が凸面形状に形成された受圧面に押圧された場合、受圧面の各部位には受圧部の軸心に向かう方向の圧縮力が加わるため、押出成形時にダイスケースに生じる剪断力が低減される。その結果、このダイスケースにおいて最も剪断力が大きく生じる部位である、ダイスケースの中空部に露出した部位について、該部位に生じる剪断力を低減でき、もって金属材料の押圧力に対するダイスの強度を向上させることができる。
【００３７】
発明［２］の金属材料の押出成形用ダイスによれば、ポート孔の軸心を下流側に向かうに従ってオス型ダイスケースの軸心に近づくように、オス型ダイスケースの軸心に対し傾斜するように配置しているため、ポート孔を流通する金属材料がオス型ダイスケース内の軸心、つまり押出孔にスムーズに導かれて、安定状態で押出加工することができ、高品質の押出成形品を得ることができる。
【００３８】
発明［３］の金属材料の押出成形用ダイスによれば、オス型ダイスケースをメス型ダイスケースによって、適度な強度で拘束することができ、ダイス強度を一層向上させることができる。
【００３９】
発明［４］の金属材料の押出成形用ダイスによれば、オス型ダイスケースとオス型ダイスとが別体であるため、これらの構造の簡素化を図ることができる。
【００４０】
発明［５］〜［７］の金属材料の押出成形用ダイスによれば、オス型ダイスケースにオス型ダイスが一体に形成されているため、部品点数の削減を図ることができる。
【００４１】
発明［８］〜［１２］の金属材料の押出成形用ダイスによれば、金属材料受圧面を所定の凸面形状に形成しているため、金属材料が受圧面に押圧された際に、金属材料の押圧力を凸面体によって分散させて受け止めることができて、受圧面の各部分での法線方向の押圧力を低減することができる。このため金属材料の押圧力に対する強度を向上できて、十分な耐久性を確実に得ることができる。
【００４２】
特に発明［９］の金属材料の押出成形用ダイスによれば、金属材料の受圧面への押圧力をより確実にバランス良く分散できて、金属材料の押圧力に対する強度をより確実に向上させることができる。すなわち、金属材料が特定の凸球面によって構成された受圧面に押圧された場合、受圧面の各部位には受圧部の中心に向かう方向の圧縮力がより確実に加わるため、押出成形時にダイスケースに生じる剪断力がより確実に低減される。その結果、このダイスケースにおいて最も剪断力が大きく生じる部位である、ダイスケースの中空部に露出した部位について、該部位に生じる剪断力をより確実に低減でき、もって金属材料の押圧力に対するダイスの強度をより確実に向上させることができる。
【００４３】
発明［１３］の金属材料の押出成形用ダイスによれば、ポート孔を周方向に複数形成しているため、金属材料を両ダイスケース内に周方向から均等に導入でき、押出孔へとスムーズに供給でき、より安定状態に押出加工することができる。
【００４４】
発明［１４］の金属材料の押出成形用ダイスによれば、ポート孔の軸心を、特定の傾斜角度に設定しているため、金属材料をポート孔から押出孔に、安定した状態で供給することができる。
【００４５】
発明［１５］の金属材料の押出成形用ダイスによれば、アルミニウムまたはアルミニウム合金製の押出成形品を製造することができる。
【００４６】
発明［１６］の金属材料の押出成形用ダイスによれば、断面円環状のチューブ材を確実に形成することができる。
【００４７】
発明［１７］の金属材料の押出成形用ダイスによれば、幅方向に複数の通路が並列に配置された多孔中空材を確実に形成することができる。
【００４８】
発明［１８］によれば、上記と同様の効果を奏する押出成形品の製造方法を提供することができる。
【００４９】
発明［１９］によれば、上記と同様の効果を奏する押出チューブ材の製造方法を提供することができる。
【００５０】
発明［２０］によれば、上記と同様の効果を奏する多孔中空材の製造方法を提供することができる。
【００５１】
発明［２１］および［２２］によれば、上記と同様の効果を奏する押出成形用ダイスのダイスケースを提供することができる。
【００５２】
特に発明［２２］の押出成形用ダイスのダイスケースによれば、上記発明［９］と同様の理由により、金属材料の受圧面への押圧力をより確実にバランス良く分散できて、金属材料の押圧力に対する強度をより確実に向上させることができる。
【００５３】
発明［２３］によれば、上記と同様の効果を奏する金属材料の押出成形方法を提供することができる。
【００５４】
発明［２４］によれば、上記と同様の効果を奏する金属材料の押出成形機を提供することができる。
【発明を実施するための最良の形態】
【００５５】
＜第１実施形態＞
図１〜５はこの発明の第１実施形態の一例とする押出成形用ダイス（１０）を示す図である。これらの図に示すように本実施形態の押出成形用ダイス（１０）は、図１０，１１に示す多孔中空材（６０）を押出成形するものである。
【００５６】
中空材（６０）は、金属製のもので、本実施形態において、アルミニウムまたはアルミニウム合金製の熱交換チューブの一例を示している。
【００５７】
この中空材（６０）は、カーエアコン用のコンデンサなどの熱交換器に採用されるものであり、偏平な形状を有している。さらにこの中空材（６０）の中空部（６１）は、チューブ長さ方向に延び、かつ互いに平行に配置された複数の隔壁（６２）によって、複数の熱交換用通路（６３）に仕切られている。これらの通路（６３）は、チューブ長さ方向に延び、かつ互いに平行に配置されている。
【００５８】
なお本実施形態においては、チューブ長さ方向に対し直交し、かつ通路（６３）が並列される方向を「幅方向」とし、チューブ長さ方向に対し直交し、かつ幅方向に対し直交する方向を「高さ方向（厚さ方向）」として説明する。さらに本実施形態では、ダイス（１０）により成形される押出製品を基準にして、金属材料としての金属ビレットの押出方向対し「上流側」を「後側」とし、「下流側」を「前側」として説明する。
【００５９】
図１〜５に示すように、本実施形態の押出成形用ダイス（１０）は、オス型ダイスケース（２０）と、メス型ダイスケース（２５）と、オス型ダイス（３０）と、メス型ダイス（４０）と、流動制御板（５０）と、を備えている。なお本実施形態では、オス型ダイスケース（２０）と、メス型ダイスケース（２５）とによりダイスケースが構成されるものである。
【００６０】
オス型ダイスケース（２０）は、メス型ダイスケース（２５）に対し、上流側（後側）に配置されている。このオス型ダイスケース（２０）は、メス型ダイスケース（２５）に対し独立（分割）状態に構成されており、後述するようにして両ダイスケース（２０）（２５）が連結されている。
【００６１】
オス型ダイスケース（２０）は、略ドーム型の形状を有し、ビレットが押圧される受圧部（２１）と、受圧部（２１）の前面側（詳述すると前面側外周）に一体に形成された環状の圧入連結部（２１ａ）とを有している。さらにオス型ダイスケース（２０）は、受圧部（２１）の外周面（後面）が、金属材料受圧面としてのビレット受圧面（２２）に形成されている。
【００６２】
オス型ダイスケース（２０）のビレット受圧面（２２）は、押出方向に対向する方向（後方向）に突出する凸面形状として形成されている。この受圧面（２２）は、半球凸面形状によって構成されている（球形状以外は後記の＜変形例＞にて言及する）。
【００６３】
オス型ダイスケース（２０）の受圧部（２１）の周壁中央には、内部の中空部（ウェルドチャンバ１２）に連通するオス型ダイス保持孔（２３）が軸心（Ａ１）に沿って設けられている。このオス型ダイス保持孔（２３）は、オス型ダイス（３０）の断面形状に対応して、偏平な矩形状に形成されている。さらに図５などに示すようにオス型ダイス保持孔（２３）の後端側における両側部には、後述するオス型ダイス（３０）を係合するための係合段部（２３ａ）（２３ａ）が設けられている。
【００６４】
オス型ダイスケース（２０）の受圧部（２１）の外周、詳述すると受圧部（２１）の周壁における軸心（Ａ１）を挟んだ両側には、一対のポート孔（２４）（２４）がそれぞれ形成されている。各ポート孔（２４）（２４）は、周方向に沿って延びる長孔形状を有しており、周方向に等間隔をおくように対向して配置されている。さらにポート孔（２４）は下流側（前方）に向かうに従ってオス型ダイスケース（２０）の軸心（Ａ１）に近づくように、ポート孔（２４）の軸心（Ａ２）がオス型ダイスケース（２０）の軸心（Ａ１）に対し交差し、かつ傾斜して配置されている。このポート孔（２４）の傾斜角度（θ）などの詳細な構成については、後に詳述する。
【００６５】
また図２に示すようにオス型ダイスケース（２０）における圧入連結部（２１ａ）の前面外周部には、２つの連結軸取付孔（２２ａ）が形成されている。
【００６６】
一方、メス型ダイスケース（２５）は、オス型ダイスケース（２０）に対し独立して形成されており、径寸法がオス型ダイスケース（２０）の径寸法よりも一回り大きく形成されている。
【００６７】
メス型ダイスケース（２５）の後面側外周、詳述するとメス型ダイスケース（２５）のオス型ダイスケース（２０）との対応面（即ちメス型ダイスケース（２５）の後面）外周には、オス型ダイスケース（２０）の圧入連結部（２１ａ）を圧入可能な圧入用凹部（２５ａ）が設けられている。この圧入用凹部（２５ａ）はその内直径寸法が圧入連結部（２１ａ）の外直径寸法よりも少し小さく設定されており、深さが圧入連結部（２１ａ）の突出長さに対応して形成されている。なお圧入用凹部（２５ａ）および圧入連結部（２１）の直径差などの詳細については、後に説明する。
【００６８】
また圧入用凹部（２５ａ）の底面外周には、上記オス型ダイスケース（２０）の連結軸取付孔（２２ａ）に対応して、２つの連結軸取付孔（２７ａ）が形成されている。
【００６９】
メス型ダイスケース（２５）の圧入用凹部（２５ａ）における中央部には、メス型ダイス保持凹部（２６）が形成されるとともに、その保持凹部（２６）の底壁中央には、連通孔（２６ｂ）が形成されている。
【００７０】
さらに図４に示すようにメス型ダイス保持凹部（２６）の内周側面には、軸心方向に沿って２本のキー溝（２７）が形成されている。
【００７１】
オス型ダイス（３０）は、その前端部がマンドレル（３１）として構成されている。図４〜６に示すようにマンドレル（３１）の前端部は、中空材（６０）の中空部（６１）を形成するもので、中空材（６０）の各通路（６３）に対応した複数個の通路成形用凸部（３３）を有している。これら複数の通路成形用凸部（３３）は、マンドレル（３１）の幅方向に所定の間隔おきに並んで配置されている。さらにこれらの通路成形用凸部（３３）の各間に設けられた隙間は、中空材（６０）の隔壁（６２）を形成する隔壁成形用溝（３２）として構成されている。
【００７２】
オス型ダイス（３０）の後端部における外周縁部には、オス型ダイスケース（２０）におけるオス型ダイス保持孔（２３）の上記係合段部（２３ａ）に対応して、係合凸部（３３ａ）が側方突出状に一体に形成されている。
【００７３】
このオス型ダイス（３０）が、オス型ダイスケース（２０）のオス型ダイス保持孔（２３）に、そのビレット受圧面（２２）側から挿入されて固定される。このときオス型ダイス（３０）の係合凸部（３３ａ）（３３ａ）が、オス型ダイス保持孔（２３）内の係合段部（２３ａ）（２３ａ）に係合されて、オス型ダイス（３０）の位置決めが図られることにより、オス型ダイス（３０）のマンドレル（３１）が、オス型ダイスケース（２０）の内部におけるオス型ダイス保持孔（２３）から内部に所定量突出した状態に保持される。
【００７４】
なおオス型ダイス（３０）の基端面（後端面）は、オス型ダイスケース（２０）のビレット受圧面（２２）に倣う凸球面の一部（先端部）に形成されており、オス型ダイス（３０）の基端面（後端面）と、ビレット受圧面（２２）とにより所望の連続する円滑な半球凸面形状が形成されるよう構成されている。
【００７５】
メス型ダイス（４０）は、円柱形状を有しており、図３に示すように外周面の両側部には、上記メス型ダイスケース（２５）における保持凹部（２６）のキー溝（２７）（２７）に対応して、軸心と平行なキー突起（４７）（４７）が形成されている。
【００７６】
メス型ダイス（４０）には、後端面側に開放し、かつオス型ダイス（３０）のマンドレル（３１）に対応して形成されるダイス孔（ベアリング孔４１）と、ダイス孔（４１）に連通し、かつ前端面側に開放するレリーフ孔（４２）とが設けられている。
【００７７】
ダイス孔（４１）は、その内周縁部に沿って内方突出部が設けられて、中空材（６０）の外周部を成形できるよう構成されている。さらにレリーフ孔（４２）は、前端側（下流側）に向かうに従って次第に厚さ（高さ）が大きくなるように末広がりのテーパ状に形成されて、下流側に開放されている。
【００７８】
このメス型ダイス（４０）が、メス型ダイスケース（２５）のメス型ダイス保持凹部（２６）内に収容される。このとき、メス型ダイス（４０）のレリーフ孔（４２）の下端開口部が、メス型ダイスケース（２５）におけるダイス保持凹部底面の連通孔（２６ｂ）に適合状態に配置されて、メス型ダイス（４０）のレリーフ孔（４２）が、メス型ダイスケース（２５）の下方側（下流側）に連通されている。
【００７９】
さらにメス型ダイス（４０）のキー突起（４７）が、メス型ダイスケース（２５）のキー溝（２７）に挿入されて係合されることにより、メス型ダイス（４０）の軸心周りの位置決めが図られる。
【００８０】
流動制御板（５０）は、その外周形状が、上記メス型ダイスケース（２５）におけるメス型ダイス保持凹部（２６）の断面形状に対応して円形に形成されている。さらに流動制御板（５０）の中央には、メス型ダイス（４０）のダイス孔（４１）に対応して、中央貫通孔（５１）が形成されている。
【００８１】
なお図３に示すように流動制御板（５０）における外周縁部の両側部には、上記メス型ダイス（４０）のキー突起（４７）に対応して、キー突起（５７）（５７）が形成されている。
【００８２】
そしてこの流動制御板（５０）が、メス型ダイス保持凹部（２６）内におけるメス型ダイス（４０）上に収容される。このとき流動制御板（５０）のキー突起（５７）が、メス型ダイスケース（２５）のキー溝（２７）内に係合されることにより、流動制御板（５０）の軸心周りの位置決めが図られる。
【００８３】
さらにメス型ダイス（４０）および流動制御板（５０）が組み込まれたメス型ダイスケース（２５）に、オス型ダイス（３０）が組み込まれたオス型ダイスケース（２０）が以下のように組み付けられる。
【００８４】
すなわちメス型ダイスケース（２５）の連結軸取付孔（２７ａ）に、連結軸（１５）の片側半分を挿入固定して残り半分を突出させた状態で、メス型ダイスケース（２５）の圧入用凹部（２５ａ）内に、オス型ダイスケース（２０）の圧入連結部（２１ａ）が圧入固定される。このとき、連結軸（１５）の突出部がオス型ダイスケース（２０）の連結軸取付孔（２２ａ）に挿入固定される。
【００８５】
これによりオス型ダイスケース（２０）が、メス型ダイスケース（２５）により周囲から拘束される態様に、両ダイスケース（２０）（２５）が互いの軸心を一致させて連結される。
【００８６】
この連結によって、オス型ダイス（３０）のマンドレル（３１）およびメス型ダイス（４０）のダイス孔（４１）が流動制御板（５０）の中央貫通孔（５１）内に対応して配置される。さらには図４〜６に示すように、オス型ダイス（３０）のマンドレル（３１）が、メス型ダイス（４０）のダイス孔（４１）の内側に配置されて、マンドレル（３１）およびダイス孔（４１）間で偏平環状の押出孔（１１）が形成される。さらにこの押出孔（１１）は、マンドレル（３１）の複数の隔壁成形溝（３２）が幅方向に並列に配置されて、上記成形加工される中空材（６０）の断面形状に対応して形成される。
【００８７】
ここで本実施形態において、既述したように、圧入連結部（２１ａ）の外直径は圧入用凹部（２５ａ）の内直径よりも少し大きく形成されている。本実施形態では、圧入連結部（２１ａ）の圧入用凹部（２５ａ）に対する直径方向の圧縮率（圧入代）を、以下に示すように特有の範囲に設定するのが好ましい。
【００８８】
なお本実施形態において圧入代（Ｐ）は、圧入連結部（２１ａ）の外直径を「Ｌ１」、圧入用凹部（２５ａ）の内直径を「Ｌ２」としたとき、外直径（Ｌ１）と内直径（Ｌ２）との直径差（Ｌ１−Ｌ２）を、内直径（Ｌ２）に対する割合（百分率）で表示したものである。具体的には圧入代（Ｐ）は、下記（１）式で求められる。
【００８９】
Ｐ＝（Ｌ１−Ｌ２）×１００／Ｌ２…（１）
【００９０】
そして本実施形態では、上記の圧入代（Ｐ）を、１〜８％、好ましくは３〜６％に設定するのが良い。すなわち圧入代（Ｐ）が上記特有の範囲内に設定される場合には、オス型ダイスケース（２０）がメス型ダイスケース（２５）に適度な圧縮力で拘束されることにより、オス型ダイスケース（２０）、つまりビレット受圧部（２１）の強度を向上させることができ、耐亀裂性、耐久性を向上させることができる。換言すれば、圧入代（Ｐ）が小さ過ぎる場合には、オス型ダイスケース（２０）をメス型ダイスケース（２５）によって十分に拘束できず、オス型ダイスケース（２０）の強度が低下して、耐久性が低下するおそれがある。逆に圧入代（Ｐ）が大き過ぎる場合には、メス型ダイスケース（２５）によるオス型ダイスケース（２０）の拘束力が強くなり過ぎて、オス型ダイスケース（２０）の強度が低下して、耐久性が低下するおそれがある。
【００９１】
ただし本発明では、圧入代（Ｐ）は必ずしも全周に亘って均一であることを要せず、例えば、押出成形時に生じるダイスケース（２０）（２５）の撓みを考慮して圧入代（Ｐ）の大きさを上記特有の範囲内において変化させても良い。
【００９２】
なお本発明において、圧入と言う場合、焼きばめや冷却ばめなどの収縮ばめも含まれるものであり、この収縮ばめを用いることもできる。
【００９３】
また本実施形態において、一対のポート孔（２４）（２４）の流出側端部（前端部）が、押出孔（１１）に対応して配置されている。
【００９４】
さらに既述したようにポート孔（２４）（２４）はその軸心（Ａ２）が、オス型ダイスケース（２０）の軸心（Ａ１）に対し傾斜するように設定されている。図４に示すように本実施形態において、オス型ダイスケース（２０）の軸心（Ａ１）に対するポート孔（２４）の軸心（Ａ２）の傾斜角度（θ）は、３〜３５°に設定するのが良く、好ましくは５〜３０°、より好ましくは５〜２５°に設定するのが良い。すなわちこの傾斜角度（θ）を上記特定の範囲内に設定する場合には、金属材料がポート孔（２４）（２４）、および両ダイスケース（２０）（２５）内部のウェルドチャンバ（１２）を安定した状態で流通して、さらに金属材料が押出孔（１１）をその全周にわたってバランス良くスムーズに通過して、寸法精度に優れた高品質の押出成形品（押出加工品）を形成することができる。換言すれば、上記傾斜角度（θ）が小さ過ぎる場合には、ポート孔（２４）（２４）およびウェルドチャンバ（１２）を流通した金属材料が、押出孔（１１）にスムーズに導入されず、高品質の押出成形品を安定して得ることが困難になるおそれがある。逆に傾斜角度（θ）が大き過ぎる場合には、材料押出方向に対し、ポート孔（２４）の材料流通方向が大きく傾斜するため、金属材料の押出荷重が大きくなるので、好ましくない。
【００９５】
また本実施形態において、オス型ダイスケース（２０）におけるビレット受圧面（２２）を１／６〜４／６球体の凸球面によって構成するのが良い。ビレット受圧面（２２）を上記特定の凸球面によって構成する場合には、ビレット受圧面（２２）によって金属ビレットの押圧力をより確実にバランス良く分散して受け止めることができ、十分な強度を確保できて、ダイス寿命をより確実に向上させることができる。すなわち、ビレットが特定の凸球面によって構成された受圧面（２２）に押圧された場合、受圧面（２２）の各部位には受圧部（２１）の中心に向かう方向の圧縮力がより確実に加わるため、押出成形時にダイスケース（２０）に生じる剪断力がより確実に低減される。その結果、このダイスケース（２０）において最も剪断力が大きく生じる部位である、ダイスケース（２０）の中空部に露出した部位について、該部位に生じる剪断力をより確実に低減でき、もってビレットの押圧力に対するダイス（１０）の強度をより確実に向上させることができる。そればかりかダイス形状の簡素化、小型軽量化およびコストの削減を図ることができる。換言すれば、ビレット受圧面（２２）を、１／６球体に満たない球体、たとえば１／８球体の凸球面によって構成した場合には、ビレットの押圧力に対し十分な強度を得ることができず、亀裂の発生によるダイス寿命の低下を来すおそれがある。逆にビレット受圧面（２２）を、４／６球体を超える球体、たとえば５／６球体の凸球面によって構成した場合には、形状の複雑化によるコストの増大を来すおそれがある。
【００９６】
ここで本実施形態においてたとえば、１／８球体、１／６球体、４／６球体などの割合付きの球体は、完全球体を軸心に対し直交する方向に切断して切り取った際の部分球体によって構成されるものである。すなわち本実施形態において「ｎ／ｍ球体（ただしｍ、ｎは自然数、ｎ＜ｍである）」とは、完全球体の軸心長さ（直径）を「１」として、完全球体の端縁からの軸心（直径）方向の長さがｎ／ｍの位置で、その完全球体を、軸心に対し直交する方向に切り取った際の部分球体によって構成されるものである。
【００９７】
なお本実施形態において図４に示すように、ポート孔（２４）の内周面のうち内側面（２４ａ）および外側面（２４ｂ）は、互いにほぼ平行に配置されるとともに、ポート孔（２４）の軸心（Ａ２）に対しほぼ平行に配置されている。さらにポート孔内周面の内側面（２４ａ）および外側面（２４ｂ）は、オス型ダイスケース（２０）の軸心（Ａ１）に対し傾斜する傾斜面（テーパ面）としてそれぞれ構成されている。
【００９８】
以上の構成の押出成形用ダイス（１０）は、図７〜９に示すように押出成形機にセットされる。すなわち本実施形態の押出成形用ダイス（１０）が、プレート（５）の中央に設けられたダイス設置孔（５ａ）に取り付けられた状態で、コンテナ（６）にセットされる。なお押出成形用ダイス（１０）は、プレート（５）によって押出方向に対し直交する方向に対し固定されるとともに、図示しないバッカーによって押出方向に対し固定されている。
【００９９】
そしてコンテナ（６）内に挿入されたアルミニウムビレットなどの金属ビレット（金属材料）を、ダミーブロック（７）を介して図７の右方向（押出方向）に押し込む。これにより金属ビレットは、押出成形用ダイス（１０）におけるオス型ダイスケース（２０）のビレット受圧面（２２）に押し付けられて塑性変形する。こうして金属材料が塑性変形しつつ、一対のポート孔（２４）（２４）を流通して両ダイスケース（２０）（２５）のウェルドチャンバ（１２）に導入されさらに、押出孔（１１）を通って前方へ押し出されることにより、金属材料が押出孔（１１）の開口形状に対応した断面形状に成形されて、金属製押出成形品（中空材６０）が製造される。
【０１００】
本実施形態の押出成形用ダイス（１０）によれば、ビレット受圧面（２２）を凸球面形状に形成しているため、金属ビレットがビレット受圧面（２２）に押圧された際に、その押圧力を凸球面によって分散させて受け止めることができる。従ってビレット受圧面（２２）の各部分での法線方向の押圧力を低減することができ、金属材料の押圧力に対する強度を向上できて、十分な耐久性を得ることができる。
【０１０１】
さらに本実施形態においては、受圧部（２１）の外周に材料流入用のポート孔（２４）を形成するものであり、受圧部（２１）の前端壁部が周方向に連続して一体に形成されるため、この連続周壁部の存在によって、オス型ダイスケース（２０）、ひいては押出成形用ダイス全体の強度を一層向上させることができる。
【０１０２】
その上、オス型ダイスケース（２０）を、メス型ダイスケース（２５）によって周囲から拘束するものであるため、オス型ダイスケース（２０）の強度、ひいては押出成形用ダイス全体の強度をより一層向上させることができる。従って従来におけるブリッジ部などの強度的に弱い部分が存在せず、強度向上のために肉厚などのサイズを必要以上に大きく形成しなくとも良いため、小型軽量化を図ることができるとともに、コストも削減することができる。
【０１０３】
また本実施形態においては、オス型ダイスケース（２０）の軸心（Ａ１）から逸脱した位置、つまり受圧面外周にポート孔（２４）（２４）を形成するとともに、そのポート孔（２４）（２４）の軸心（Ａ２）を下流側に向かうに従ってオス型ダイスケース（２０）の軸心に次第に近づくように、両ダイスケース（２０）（２５）の軸心（Ａ１）に対し傾斜させているため、ポート孔（２４）（２４）を流通する金属材料は、オス型ダイスケース（２０）の軸心（Ａ１）、つまり押出孔（１１）にスムーズに導かれていき、安定状態に押出加工することができる。さらに本実施形態においては、ポート孔（２４）（２４）の下流側端部（出口）を押出孔（１１）に向けて配置しているため、金属材料を一層スムーズに押出孔（１１）に導くことができる。
【０１０４】
その上さらに本実施形態においては、ポート孔（２４）（２４）を、偏平な押出孔（１１）の高さ方向（厚さ方向）両側に対応させて配置するものであるため、金属材料を押出孔（１１）に対し厚さ方向両側から、一層スムーズに安定した状態で導入することができる。従って押出孔（１１）の全域を均等にバランス良く金属材料が通過して押し出されることにより、高品質の押出中空材（６０）を得ることができる。
【０１０５】
特に本実施形態のように、偏平なハモニカチューブ形状などの複雑な形状の中空材（６０）を押出成形する場合であっても、金属材料を押出孔（１１）の全域にバランス良く導入することができるため、品質をさらに向上させることができる。
【０１０６】
なお参考までに、高さおよび幅が０．５ｍｍの矩形断面通路（６３）を複数並列に形成されたアルミニウム製熱交換チューブ（中空体）を製造する場合、ブリッジ型などの従来の押出成形用ダイスにおいては、強度が不十分なため、ダイスに発生する亀裂が、ダイス寿命の要因となっていた。これに対し、本発明に関連した押出成形用ダイス（１０）においては、強度が十分であるため、ダイスに亀裂が発生することがなく、ダイスの磨耗が、ダイス寿命の要因となり、飛躍的にダイス寿命を向上させることができる。
【０１０７】
具体的には、本発明者によるダイス寿命に関連した実験結果によると、本発明の押出成形用ダイスにおいては、従来品に比べて、３倍程度もダイス寿命を延ばすことができた。      
【０１０８】
また本発明においては、十分な耐圧性（強度）を有しているため、押出限界速度もかなり向上させることができる。たとえば従来の押出成形用ダイスでは、押出速度の上限値が６０ｍ／ｍｉｎであったのに対し、本発明の押出成形用ダイスにおいては、押出速度の上限値を１５０ｍ／ｍｉｎまで高めることができ、２．５倍程度も押出限界速度を高めることができ、生産効が向上できる。
【０１０９】
＜第２実施形態＞
図１２〜１４はこの発明の第２実施形態の一例とする押出成形用ダイス（１０）を示す図である。これらの図に示すようにこの第２実施形態の押出成形用ダイス（１０）は、上記第１実施形態の押出成形用ダイス（１０）と大きく相違する点は、上記第１実施形態のものは、偏平な多孔チューブ材を押出成形するものであるのに対し、本第２実施形態のものは、円環状チューブ材を押出成形するものである、という点である。
【０１１０】
すなわち本第２実施形態における押出成形用ダイス（１０）は、オス型ダイスケース（２０）およびメス型ダイスケース（２５）からなるダイスケースと、円形のマンドレル（３１）を有するオス型ダイス（３０）と、円形のダイス孔（４１）を有するメス型ダイス（４０）と、流動制御板（５０）と、を備えている。
【０１１１】
またオス型ダイスケース（２０）のダイス保持孔（２３）は、オス型ダイス（３０）に対応して、円柱状に形成されている。さらにオス型ダイスケース（２０）に設けられるポート孔（２６）は、周方向に等間隔おきに３つ設けられている。
【０１１２】
そしてオス型ダイスケース（２０）のダイス保持孔（２３）内にオス型ダイス（３０）が挿入されるとともに、メス型ダイスケース（２５）のダイス保持凹部（２６）内にメス型ダイス（４０）および流動制御板（５０）が収容された状態で、両ケース（２０）（２５）が、連結軸（１５）を介して上記と同様に連結固定される。
【０１１３】
これによりオス型ダイス（３０）のマンドレル（３１）がメス型ダイス（４０）のダイス孔（４１）の内側に配置されて、マンドレル（３１）およびダイス孔（４１）間で円環状の押出孔（１１）が形成される。
【０１１４】
本第２実施形態の押出成形用ダイス（１０）において他の構成は、上記第１実施形態の押出成形用ダイス（１０）の構成と実質的に同様であるため、同一または相当部分に同一または相当符号を付して重複説明は省略する。
【０１１５】
この第２実施形態の押出成形用ダイス（１０）においても、上記図７に示す第１実施形態と同様の押出成形機にセットされて、同様に押出成形されて、円形チューブ材が製造される。
【０１１６】
この第２実施形態においても、上記第１実施形態と同様に同様の作用効果を奏するものである。
【０１１７】
＜変形例＞
上記各実施形態においては、受圧部形状が半球形状のオス型ダイスケース（２０）を例に挙げて説明したが、本発明においては、オス型ダイスケース（２０）の受圧部（２１）の形状は限定されることはない。
【０１１８】
たとえば受圧部形状が、１／６〜４／６球体などの部分球体からなるオス型ダイスケース（２０）に、本発明を適用することができる。
【０１１９】
さらに、オス型ダイスケース（２０）の受圧部形状は球体に限られず、本発明においてはたとえば図１５に示すようにオス型ダイスケース（２０）の受圧部形状を十六角錐形状などの多面体に形成するようにしても良い。なお受圧部（２１）を多面体により形成する場合、角錐形状のように周方向に複数の面が並んで配置される周方向多面体の他に、軸方向に複数の面が並んで配置される軸方向多面体、周方向多面体および周方向多面体を組み合わせた多面体なども採用することができる。さらに多面体の各面は、平坦面に限られず、湾曲面によって形成しても良い。
【０１２０】
また本発明においては図１６に示すようにオス型ダイスケース（２０）の受圧部形状を、短軸方向に二分割された半楕円形状であって、軸心方向（押出方向上流側）から見た状態で楕円形ないし長円形に形成するようにしても良い。
【０１２１】
さらに本発明においては図１７に示すように、オス型ダイスケース（２０）の受圧部形状を、長軸方向に二分割された半楕円形状であって、軸心方向に沿う突出寸法が、軸心方向に直交する半径寸法よりも長く設定されて、径方向から見た状態で半楕円形ないし半長円形に形成するようにしても良い。
【０１２２】
また上記実施形態などにおいては、ダイスケースをオス型とメス型との２つに分割するようにしたが、それだけに限られず、本発明においては、ダイスケースを３つ以上に分割するようにしても良い。
【０１２３】
また上記実施形態などにおいては、ポート孔（２４）を２または３つ設ける場合を例に挙げて説明したが、それだけに限られず、本発明においては、ポート孔を４つ以上設けるようにしても良い。
【０１２４】
また上記実施形態においては、コンテナに押出成形用ダイスを１つセットする場合を例に挙げて説明したが、それだけに限られず、本発明の押出成形機においては、コンテナに押出成形用ダイスを２つ以上セットするように構成しても良い。
【０１２５】
さらに上記実施形態では、偏平多孔チューブや、丸チューブを押出成形する場合を例に挙げて説明したが、本発明においては、押出成形される成形体の形状は特に限定されるものではない。
【０１２６】
また上記実施形態においては、オス型ダイスケース（２０）とオス型ダイス（３０）とが別体に形成されたものを例に挙げて説明したが、それだけに限られず、本発明は、オス型ダイス（３０）がオス型ダイスケース（２０）に一体に形成されたものにも適用することができる。さらに本発明においては、メス型ダイス（４０）とメス型ダイスケース（２５）とが一体に形成されていても良いし、流動制御板（５０）とメス型ダイスケース（２５）とが一体であっても良いし、流動制御板（５０）とメス型ダイス（４０）とが一体に形成されていても良い。このようにダイスやケースなどを一体形成する場合には、加工費を低減することができる。
【０１２７】
また、本発明では、上記実施形態のように、オス型ダイス（３０）の後端面（基端面）は、受圧部（２１）のビレット受圧面（２２）に倣う凸面（球面）の一部に形成されており、オス型ダイス（３０）の後端面とビレット受圧面（２２）とにより協同で所望の円滑な凸面（球面）が形成されるよう構成されていることが望ましいが、本発明では、オス型ダイス（３０）の後端面（基端面）はこのように形成されることに限定されるものではなく、その他に、例えば次のように形成されていても良い。すなわち、本発明では、オス型ダイス（３０）の後端面の表面積がダイス（１０）のビレット受圧面（２２）の表面積に対して例えば１／３以下である場合には、オス型ダイス（３０）の後端面を、その幅方向（長手方向）がビレット受圧面（２２）に倣って円弧状に形成され、かつ短手方向（厚さ方向）が直線状に形成された円柱外周面の一部によって構成するようにしても良い。オス型ダイス（３０）の後端面の表面積がこの程度に小さい場合には、オス型ダイス（３０）の後端面が凸面（球面）の一部ではなく円柱の外周面の一部に形成されることによるダイス寿命、押出荷重への影響が少ない一方で、オス型ダイス（３０）の後端面の加工コストを下げることができるからである。
【０１２８】
なおこの各変形例の押出成形用ダイスにおいても、上記実施形態と同様に、同様の作用効果を得ることができる。
【実施例】
【０１２９】
【表１】
2008030117.tif 000003
【０１３０】
＜実施例１＞
表１に示すように、上記図１〜６に示す第１実施形態と同様の偏平多孔チューブ成形用ダイス（１０）を準備した。このダイス（１０）のオス型ダイスケース（２０）は、受圧部（２１）が半径３０ｍｍの１／２球体（半球体）に形成されている。
【０１３１】
さらにオス型ダイスケース（２０）は、一対のポート孔（２４）（２４）を有し、各ポート孔（２４）の軸心（Ａ２）におけるオス型ダイスケース（２０）の軸心（Ａ１）に対する傾斜角度（θ）は、１０°に調整されている。
【０１３２】
さらにオス型ダイスケース（２０）の圧入連結部（２１ａ）とメス型ダイスケース（２５）の圧入用凹部（２５ａ）との圧入代（Ｐ）は、０．５％に調整されている。
【０１３３】
またオス型ダイス（３０）は、マンドレル（３１）の高さが２．０ｍｍ、マンドレルの幅が１９．２ｍｍ、通路成形用凸部（３３）の高さが１．２ｍｍ、通路成形用凸部（３３）の幅０．６ｍｍ、隔壁成形用溝の幅０．２ｍｍに調整されている。
【０１３４】
さらにメス型ダイス（４０）は、ダイス孔（４１）の高さが１．７ｍｍ、ダイス孔（４１）の幅が２０．０ｍｍに調整されている。
【０１３５】
この押出成形用ダイス（１０）を図７〜９に示すように上記実施形態と同様な押出成形機にセットして、押出成形を行って図１０，１１に示すような偏平多孔チューブ（熱交換器用チューブ）を製造した。
【０１３６】
そしてダイス寿命（ダイスに亀裂や磨耗が発生するまでの材料導入量（ｔｏｎ））を測定し、さらにダイス寿命の制限要因を調査した。その結果と圧入代とを表１に併せて示す。
【０１３７】
＜実施例２＞
表１に示すように、圧入代（Ｐ）を１．０％に調整した以外は、上記と同様の押出成形用ダイス（１０）を準備した。
【０１３８】
そして上記と同様に押出成形を行って同様の評価を行った。
【０１３９】
＜実施例３＞
表１に示すように、圧入代（Ｐ）を３．０％に調整した以外は、上記と同様の押出成形用ダイス（１０）を準備した。
【０１４０】
そして上記と同様に押出成形を行って同様の評価を行った。
【０１４１】
＜実施例４＞
表１に示すように、圧入代（Ｐ）を６．０％に調整した以外は、上記と同様の押出成形用ダイス（１０）を準備した。
【０１４２】
そして上記と同様に押出成形を行って同様の評価を行った。
【０１４３】
＜実施例５＞
表１に示すように、圧入代（Ｐ）を８．０％に調整した以外は、上記と同様の押出成形用ダイス（１０）を準備した。
【０１４４】
そして上記と同様に押出成形を行って同様の評価を行った。
【０１４５】
＜実施例６＞
表１に示すように、圧入代（Ｐ）を９．０％に調整した以外は、上記と同様の押出成形用ダイス（１０）を準備した。
【０１４６】
そして上記と同様に押出成形を行って同様の評価を行った。
【０１４７】
＜比較例１＞
表１に示すように、直径６０ｍｍ、高さ（押出方向の長さ）３０ｍｍで、上記各実施例の押出成形用ダイスと同一占有面積を有し、さらにビレット受圧面が押出方向に対し直交する平坦面に仕上げられたブリッジタイプの押出成形用ダイスを準備した。なお金属材料導入方向の軸心に対する傾斜角度（θ）は、実質的に０°になっている。その他の構成は上記実施例と同様である。
【０１４８】
この成形用ダイスを、上記と同様に押出成形機にセットして押出製品を製造し、上記と同様の評価を行った。
【０１４９】
＜実施例１〜６、比較例１の評価＞
表１に示すように、比較例１のものはオス型ダイスの亀裂が寿命制限要因となり、ダイス寿命が短いものであった。実施例１のものは、オス型ダイスの亀裂が寿命制限要因であるものの、少なくとも比較例のものよりは、ダイス寿命が長くなっている。さらに実施例２のものは、オス型ダイスに微小亀裂が生じるものの、主としてオス型ダイスの磨耗が寿命制限要因となり、一層ダイス寿命が長くなっている。さらに実施例３，４のものは、オス型ダイスの磨耗が寿命制限要因であり、十分に長いダイス寿命を有している。また実施例５のものは、ケースに微小亀裂が生じるものの、主としてオス型ダイス磨耗が寿命制限要因となり、所定ダイス寿命を確保できる。なお実施例６のものは、オス型ダイスケースの亀裂が寿命制限要因となっているものの、少なくとも比較例のものよりは、ダイス寿命が長くなっている。
【０１５０】
上記の評価結果をさらに検討すると、実施例のうち、圧入代が１〜８％のもの（実施例２〜５）は、十分な強度を確保することができるため、金属材料の押圧力に対するダイスケースの応力値は同じで、ポート孔を大きく形成することができる。このため、実施例２〜５のものは、押出抵抗が小さくなり、加工発熱を低減できて、寿命が延長されている。特に圧入代が３〜６％のもの（実施例３，４）のものは、ダイス剛性の改善効果を顕著に高めることができ、ポート孔をさらに大きく形成できるため、寿命が飛躍的に延長されている。
【０１５１】
なお圧入代が比較的小さいもの（実施例１）は、メス型ダイスケースによるオス型ダイスケースの拘束が不十分で若干、ダイス強度が低下しており、好適なもの（実施例２〜５）に比べて、少し磨耗寿命が短くなっている。
【０１５２】
さらに圧入代が比較的大きいもの（実施例６）は、メス型ダイスケースによるオス型ダイスケースの拘束力が強くなり過ぎて若干、ダイス強度が低下しており、好適なもの（実施例２〜５）に比べて、少し磨耗寿命が短くなっている。
【０１５３】
【表２】
2008030117.tif 000004
【０１５４】
＜実施例７＞
表２に示すように、上記図１２〜１４に示す第２実施形態と同様の円環状チューブ成形用ダイス（１０）を準備した。このダイス（１０）のオス型ダイスケース（２０）は、受圧部（２１）が半径５０ｍｍの１／２球体（半球体）に形成されている。
【０１５５】
さらにオス型ダイスケース（２０）は、３つのポート孔（２４）が周方向に等間隔おきに設けられており、各ポート孔（２４）の対する傾斜角度（θ）は、１．５°に調整されている。
【０１５６】
またオス型ダイス（３０）のマンドレル（３１）は、円形で直径がφ３０ｍｍ、メス型ダイス（４０）のダイス孔（４１）は、円形で直径がφ３２ｍｍに調整されている。
【０１５７】
この押出成形用ダイス（１０）を図７〜９に示すように上記実施形態と同様な押出成形機にセットして、押出成形を行って円環状チューブを製造した。なお成形時の押出荷重は、１４００×１０4Ｎであった。
【０１５８】
そして押出荷重（Ｎ）と、ダイス寿命とを測定し、さらにダイス寿命の制限要因を調査した。その結果とポート孔傾斜角度（θ）とを表２に併せて示す。
【０１５９】
＜実施例８＞
表１に示すように、ポート孔傾斜角度θを３．０°に調整した以外は、上記と同様の押出成形用ダイス（１０）を準備した。
【０１６０】
そして上記と同様に押出成形を行って同様の評価を行った。なお成形時の押出荷重は、１４５０×１０4Ｎであった。
【０１６１】
＜実施例９＞
表１に示すように、ポート孔傾斜角度θを６．０°に調整した以外は、上記と同様の押出成形用ダイス（１０）を準備した。
【０１６２】
そして上記と同様に押出成形を行って同様の評価を行った。なお成形時の押出荷重は、１５００×１０4Ｎであった。
【０１６３】
＜実施例１０＞
表１に示すように、ポート孔傾斜角度θを１５．０°に調整した以外は、上記と同様の押出成形用ダイス（１０）を準備した。
【０１６４】
そして上記と同様に押出成形を行って同様の評価を行った。なお成形時の押出荷重は、１６５０×１０4Ｎであった。
【０１６５】
＜実施例１１＞
表１に示すように、ポート孔傾斜角度θを３０．０°に調整した以外は、上記と同様の押出成形用ダイス（１０）を準備した。
【０１６６】
そして上記と同様に押出成形を行って同様の評価を行った。なお成形時の押出荷重は、１７００×１０4Ｎであった。
【０１６７】
＜実施例１２＞
表１に示すように、ポート孔傾斜角度θを３５．０°に調整した以外は、上記と同様の押出成形用ダイス（１０）を準備した。
【０１６８】
そして上記と同様に押出成形を行って同様の評価を行った。なお成形時の押出荷重は、１７５０×１０4Ｎであった。
【０１６９】
＜実施例１３＞
表１に示すように、ポート孔傾斜角度θを３８．０°に調整した以外は、上記と同様の押出成形用ダイス（１０）を準備した。
【０１７０】
そして上記と同様に押出成形を行って同様の評価を行った。なお成形時の押出荷重は、１８５０×１０4Ｎであった。
【０１７１】
＜比較例２＞
表２に示すように、直径１００ｍｍ、高さ（押出方向の長さ）８０ｍｍで、上記各実施例の押出成形用ダイスと同一占有面積を有し、さらにビレット受圧面が押出方向に対し直交する平坦面に仕上げられたブリッジタイプの押出成形用ダイスを準備した。なお金属材料導入方向の軸心に対する傾斜角度（θ）は、実質的に０°になっている。その他の構成は上記実施例７〜１３と同様である。
【０１７２】
この成形用ダイスを、上記と同様に押出成形機にセットして押出製品を製造し、上記と同様の評価を行った。なお成形時の押出荷重は、１６００×１０4Ｎであった。
【０１７３】
＜実施例７〜１３、比較例２の評価＞
表２に示すように、比較例２のものは、オス型ダイスの亀裂が寿命制限要因となり、ダイス寿命が短いものであった。実施例７，１３のものは、亀裂が寿命制限要因であるものの、比較例のものよりは、寿命が長くなっている。さらに実施例８，１２のものは、微小亀裂が生じるものの、主として磨耗が寿命制限要因となり、一層ダイス寿命が長くなっている。さらに実施例９〜１１のものは、オス型ダイスの磨耗が寿命制限要因であり、十分に長いダイス寿命を有している。
【０１７４】
要約すると、比較例２のものに比べて、実施例７〜１３のものでは、ダイス寿命が長く、さらに実施例のうち特に、ポート孔傾斜角度θが３．０〜３５．０°のもの（実施例８〜１２）は、寿命が長いものであった。
【０１７５】
また実施例のものでは、ポート孔傾斜角度θが小さくなるに従って押出荷重は小さくなっている。従って偏平多孔チューブなどの形状が複雑な押出品を成形する場合以外は、ポート孔傾斜角度θは小さい方が良いと思われる。
【０１７６】
【表３】
2008030117.tif 000005
【０１７７】
＜実施例１４＞
表３に示すように上記実施形態に準拠して、オス型ダイスケース（２０）として、ビレット受圧面（２２）が、１／８球体の外表面（凸球面）によって構成され、その球面半径が４５．４ｍｍに設定されたものを準備した。この受圧部（２１）の直径は６０ｍｍに調整されている。
【０１７８】
さらにオス型ダイスケース（２０）は、２つのポート孔（２４）（２４）を有し、オス型ダイスケース（２０）の軸心（Ａ１）に対しポート孔（２４）の軸心（Ａ２）の傾斜角度（θ）が２５°に調整されている。
【０１７９】
またオス型ダイス（３０）としては、マンドレル（３１）の高さ（厚さ）が２．０ｍｍ、マンドレル（３１）の幅が１９．２ｍｍ、通路成形用凸部（３３）の高さが１．２ｍｍ、通路成形用凸部（３３）の幅が０．６ｍｍ、隔壁成形用溝（３２）の幅が０．２ｍｍのものを用いた。さらにメス型ダイス（４０）としては、ダイス孔（４１）の高さが１．７ｍｍ、ダイス孔（４１）の幅が２０．０ｍｍのものを用いた。
【０１８０】
さらにオス型ダイスケース（２０）の圧入連結部（２１ａ）とメス型ダイスケース（２５）の圧入用凹部（２５ａ）との圧入代（Ｐ）は、１．０％に調整されている。
【０１８１】
この押出成形用ダイス（１０）を図７〜９に示すように上記実施形態と同様な押出成形機にセットして、押出成形を行って、上記オス型ダイス（３０）およびメス型ダイス（４０）間の押出孔（１１）に対応する断面形状の中空材（熱交換チューブ６０）を製造した。
【０１８２】
そしてダイス寿命（ｔｏｎ／ダイス）を測定した。その結果を表３に示す。
【０１８３】
＜実施例１５＞
表３に示すように、ビレット受圧面（２２）を、１／６球体の凸球面によって構成し、かつその球面半径を４０．３ｍｍに設定し、それ以外は、上記実施例１４と同様の押出成形用ダイス（１０）を準備し、同様の押出成形機にセットして、同様に押出成形を行って、中空材を製造した。
【０１８４】
＜実施例１６＞
表３に示すように、ビレット受圧面（２２）を、１／３球体の凸球面によって構成し、かつその球面半径を３２．０ｍｍに設定し、それ以外は、上記実施例１４と同様の押出成形用ダイス（１０）を準備し、同様の押出成形機にセットして、同様に押出成形を行って、中空材を製造した。
【０１８５】
＜実施例１７＞
表３に示すように、ビレット受圧面（２２）を、１／２球体の凸球面によって構成し、かつその球面半径を３０．０ｍｍに設定し、それ以外は、上記実施例１４と同様の押出成形用ダイス（１０）を準備し、同様の押出成形機にセットして、同様に押出成形を行って、中空材を製造した。
【０１８６】
＜実施例１８＞
表３に示すように、ビレット受圧面（２２）を、４／６球体の凸球面によって構成し、かつその球面半径を３２．０ｍｍに設定し、それ以外は、上記実施例１４と同様の押出成形用ダイス（１０）を準備し、同様の押出成形機にセットして、同様に押出成形を行って、中空材を製造した。
【０１８７】
＜実施例１９＞
表３に示すように、ビレット受圧面（２２）を、５／６球体の凸球面によって構成し、かつその球面半径を４０．３ｍｍに設定し、それ以外は、上記実施例１４と同様の押出成形用ダイス（１０）を準備し、同様の押出成形機にセットして、同様に押出成形を行って、中空材を製造した。
【０１８８】
＜実施例１４〜１９の評価＞
表３に示すように、ビレット受圧面（２２）における球面半径が大きくて突出量が比較的小さいもの（実施例１４）では、ダイス寿命が少し短くなっていた。
【０１８９】
さらにビレット受圧面（２２）における球面半径が小さくて球体の突出量が比較的大きいもの（実施例１９）では、ダイス寿命を長く確保できるが、ビレット受圧面の加工が若干困難であると考えられる。
【０１９０】
これに対し、ビレット受圧面（２２）が、適度な凸面形状に設定されたもの、つまり１／６〜４／６球体の凸球面に設定されたもの（実施例１５〜１８）では、ダイス寿命を長くできる上さらに、ダイス制作費も抑えることができた。中でも特にビレット受圧面（２２）が、１／２球体の凸球面に設定されたもの（実施例１７）では、十分なダイス寿命を確保しつつ、ダイス制作費も抑えることができ、優れた結果が得られた。
【０１９１】
なお実施例１７のものと比較すると、ビレット受圧面（２２）が、４／６球体の凸球面に設定されたもの（実施例１８）では多少、ダイス制作費が高くなり、実施例１５〜１８の中では、若干見劣りした結果となった。
【産業上の利用可能性】
【０１９２】
この発明の金属材料の押出成形用ダイスは、中空チューブなどの押出製品、たとえば自動車エアコン用ガスクーラー、エバポレーター、家庭用給湯機などの熱交換チューブを製造する際に適用に用いることができる。
【図面の簡単な説明】
【０１９３】
【図１】この発明の第１実施形態の一例である押出成形用ダイスを示す斜視図である。
【図２】第１実施形態の一例である押出成形用ダイスを切り欠いて示す斜視図である。
【図３】第１実施形態の一例である押出成形用ダイスを分解して示す斜視図である。
【図４】第１実施形態の一例である押出成形用ダイスを示す一側断面図である。
【図５】第１実施形態の一例である押出成形用ダイスを示す他側断面図である。
【図６】第１実施形態の一例である押出成形用ダイスの内部を拡大して示す斜視図である。
【図７】第１実施形態の一例である押出成形用ダイスが適用された押出成形機の主要部を切り欠いて示す斜視図である。
【図８】第１実施形態の一例である押出成形機におけるダイス周辺を示す一側断面図である。
【図９】第１実施形態の一例である押出成形機におけるダイス周辺を示す他側断面図である。
【図１０】第１実施形態の一例である押出成形機によって押出成形された多孔中空材を示す斜視図である。
【図１１】第１実施形態の一例である押出成形機によって押出成形された多孔中空材を示す正面断面図である。
【図１２】この発明の第２実施形態の一例である押出成形用ダイスを示す斜視図である。
【図１３】第２実施形態の一例である押出成形用ダイスを切り欠いて示す斜視図である。
【図１４】第２実施形態の一例である押出成形用ダイスを分解して示す斜視図である。
【図１５】この発明の第１変形例である押出成形用ダイスを示す斜視図である。
【図１６】この発明の第２変形例である押出成形用ダイスを示す斜視図である。
【図１７】この発明の第３変形例である押出成形用ダイスを示す斜視図である。
【図１８】従来の押出成形用ダイスを示す斜視図であって、同図（ａ）はポートホールダイスを分解して示す斜視図、同図（ｂ）はスパイダダイスを分解して示す斜視図、同図（ｃ）はブリッジダイスを示す斜視図である。
【符号の説明】
【０１９４】
６…コンテナ
１０…押出成形用ダイス
１１…押出孔
２０…オス型ダイスケース
２１…受圧部
２１ａ…圧入連結部
２２…ビレット受圧面（金属材料受圧面）
２４…ポート孔
２５…メス型ダイスケース
２５ａ…圧入用凹部
３０…オス型ダイス
３３…通路成形用凸部
４０…メス型ダイス
６０…中空材
６３…通路
Ａ１…ダイスケース（受圧部）の軸心
Ａ２…ポート孔の軸心
θ…傾斜角度
【図１】
2008030117.tif 000006
【図２】
2008030117.tif 000007
【図３】
2008030117.tif 000008
【図４】
2008030117.tif 000009
【図５】
2008030117.tif 000010
【図６】
2008030117.tif 000011
【図７】
2008030117.tif 000012
【図８】
2008030117.tif 000013
【図９】
2008030117.tif 000014
【図１０】
2008030117.tif 000015
【図１１】
2008030117.tif 000016
【図１２】
2008030117.tif 000017
【図１３】
2008030117.tif 000018
【図１４】
2008030117.tif 000019
【図１５】
2008030117.tif 000020
【図１６】
2008030117.tif 000021
【図１７】
2008030117.tif 000022
【図１８】
2008030117.tif 000023